(57)【要約】【課題】通常の上面が平坦な又は切妻屋根形の液体紙容器５０の上部開口５１に装着する、初回の明確な開栓感がある上に、元通りに閉栓した時に外観形状が異なるために、悪戯や不正などで購入以前に開栓 ,開封される恐れがないＴＥ機能付の液体紙容器用口栓を提供する。【解決手段】本発明は、天板の内面に液止めリングａを設けたネジ式のキャップ２０と、内面にプルリングｃ付の開封部３１と下部に融着リングｄとを設けたネジ式の口栓本体３０と、から成る液体紙容器用の口栓において、ネジ式の口栓本体３０の融着リングｄの上面に、上端に開栓つまみ片ｏと開栓つまみ片ｏと下端とを結ぶ易切断半切れ線ｐとを設けた、ネジ式のキャップ２０の外側面の大部分を接近して覆った薄肉円筒状のＴＥ機能カバー３３を、易切断半切れ線ｐに連続する全周の易切断半切れ線ｑを介して連設したＴＥ機能付の液体紙容器用口栓である。【選択図】図１
2006069556.tif 000002
【特許請求の範囲】
【請求項１】
ネジ式の口栓本体３０の融着リングｄの( 上面側の嵌合部３２の )上面に、上端に開栓つまみ片ｏと開栓つまみ片ｏと下端とを結ぶ易切断半切れ線ｐとを設けた、ネジ式の口栓本体３０に螺着するネジ式のキャップ２０の、外側面の大部分を接近して覆った薄肉円筒状のＴＥ( Tamper-Evident；不正開栓防止 )機能カバー３３を、易切断半切れ線ｐに連続する全周の易切断半切れ線ｑを介して連設したことを特徴とするＴＥ機能付の液体紙容器用口栓。
【請求項２】
請求項１に記載のＴＥ機能付の液体紙容器用口栓において、ネジ式の口栓本体３０に螺着するネジ式のキャップ２０の、外側面の大部分を接近して覆った薄肉円筒状のＴＥ機能カバー３３に、上端の開栓つまみ片ｏと下端とを結ぶ、左回転方向に斜めの易切断半切れ線ｐを設けたことを特徴とするＴＥ機能付の液体紙容器用口栓。
【発明の詳細な説明】
【技術分野】
【０００１】
本発明は、乳飲料やジュースや日本酒などを収容する、通常の上面が平坦な又は切妻屋根形の、各種バリアー性が優れた紙積層材料製などの液体紙容器５０の上部開口５１に装着して、この上部開口５１の周辺と口栓本体３０の融着リングｄとを強固に熱融着して密封する、また上部開口５１の周辺の内面側に破断可能なフィルム６０を強固に熱融着して密封する、悪戯や不正などで購入以前に開栓 ,開封される恐れがないＴＥ( Tamper-Evident；不正開栓防止、以下同じ )機能付の液体紙容器用口栓に関する。
【背景技術】
【０００２】
従来から、天板の内面に液止めリングａを設けたネジ式のキャップ２０と、内面にプルリングｃ付の開封部３１と下部に融着リングｄとを設けて、この融着リングｄの上面側の下部外面に、複数の繋止突起ｅ ,ｅ ,ｅ ,…を有する嵌合部３２を設けたネジ式の口栓本体３０と、から成る、図２Ａに示す液体紙容器用の口栓であって、
乳飲料やジュースや日本酒などを収容する、図３Ａ ,Ｂに示す通常の上面が平坦な又は切妻屋根形の、各種バリアー性が優れた紙積層材料製などの液体紙容器５０の上部開口５１に、図２Ａに示すように、ネジ式の口栓本体３０の融着リングｄの上面側の複数の繋止突起ｅ ,ｅ ,ｅ ,…を有する嵌合部３２に、上部開口５１の周辺を嵌合させて装着して、この上部開口５１の周辺の内面側と口栓本体３０の融着リングｄの上面側とを、強固に熱融着して密封した後に、ネジ式のキャップ２０を左回転して開栓して、プルリングｃを引張るだけで、簡単に口栓本体３０の開封部３１を除去して開封することができる、密封性などが優れた液体紙容器用の口栓が、一般に広く用いられている。
【０００３】
また従来から、外面側に相対する傾斜凸状カムｆ ,ｆを設けた押下げ円筒体２１を、天板の内面に連設したネジ式のキャップ２０と、内面側に相対する傾斜凸状カムｇ ,ｇと下端に多数の鋸刃ｈ ,ｈ ,ｈ ,…とを設けた、口栓本体３０の内面側に嵌合して下降する降下円筒体４０と、下部に融着リングｄを設けたネジ式の口栓本体３０と、から成る、図２Ｂに示す液体紙容器用の口栓であって、
同様に乳飲料やジュースや日本酒などを収容する、図３Ａ ,Ｂに示す通常の上面が平坦な又は切妻屋根形の、各種バリアー性が優れた紙積層材料製などの液体紙容器５０の上部開口５１に、図２Ｂに示すように、ネジ式の口栓本体３０の融着リングｄの内面側に、上部開口５１の周辺の上面側を、熱融着性が優れた融着ドーナツ板６１を介して熱融着して装着して、同時に上部開口５１の周辺( と融着ドーナツ板６１の端部と )の内面側に、各種バリアー性が優れたアルミ箔積層材料製などの破断可能なフィルム６０を、強固に熱融着して密封した後に、ネジ式のキャップ２０を左回転して開栓するだけで、同時に押下げ円筒体２１の傾斜凸状カムｆ ,ｆと降下円筒体４０の傾斜凸状カムｇ ,ｇとがスライドすることによって、口栓本体３０の内面側に嵌合した降下円筒体４０が下降して、下端の鋸刃ｈ ,ｈ ,ｈ ,…で破断可能なフィルム６０を破断して開封することができる、保香性 ,密封性などが優れた液体紙容器用の口栓が、一般に広く用いられている。
【０００４】
さらに従来から、前述した図２Ａに示す密封性などが優れた液体紙容器用の口栓において、また前述した図２Ｂに示す保香性 ,密封性などが優れた液体紙容器用の口栓において、ネジ式のキャップ２０の下端に、環状２つ折りのＴＥ機能バンド２２を多数の易切断ブリッジｍ ,ｍ ,ｍ ,…を介して連設して、ネジ式の口栓本体３０の中央下部の外面に、この環状２つ折りのＴＥ機能バンド２２が開いて嵌合する環状突起ｎを設けた、図２Ｃに示すＴＥ機能付の液体紙容器用口栓であって、
ネジ式のキャップ２０を左回転して易切断ブリッジｍ ,ｍ ,ｍ ,…を切断して、ネジ式の口栓本体３０の環状突起ｎに嵌合したＴＥ機能バンド２２を残留させて開栓して、プル
リングｃを引張るだけで、簡単に口栓本体３０の開封部３１を除去して開封することができる、またネジ式のキャップ２０を左回転して易切断ブリッジｍ ,ｍ ,ｍ ,…を切断して、同様にネジ式の口栓本体３０の環状突起ｎに嵌合したＴＥ機能バンド２２を残留させて開栓するだけで、同時に口栓本体３０の内面側に嵌合した図２Ｂに示す降下円筒体４０が下降して、下端の鋸刃ｈ ,ｈ ,ｈ ,…で図２Ｂに示す破断可能なフィルム６０を破断して開封することができる、それぞれ初回の明確な開栓感を付与したＴＥ機能付の液体紙容器用口栓が、一般に広く用いられている。
【０００５】
特許文献は、以下のとおりである。
【特許文献１】実開平３−９０８３３号公報
【特許文献２】実公平６−４２９８３号公報
【特許文献３】特開２００４−６７１０１号公報
【発明の開示】
【発明が解決しようとする課題】
【０００６】
ところが従来の、図２Ａに示す密封性などが優れた液体紙容器用の口栓については、顧客が液体紙容器５０に収容した乳飲料やジュースや日本酒などを購入して、初めてネジ式のキャップ２０を左回転して開栓 ,開封する時に、プルリングｃを引張って口栓本体３０の開封部３１を除去して開封する、明確な開封感はあるものの、初回の明確な開栓感がないことが問題であって、顧客が初めて開栓 ,開封する前に、内面のプルリングｃ付の開封部３１が除去されていても気付かないことがあるために、購入した乳飲料やジュースや日本酒などを収容した液体紙容器５０が、悪戯や不正などで購入以前に開栓 ,開封される恐れがあった。
【０００７】
また従来の、図２Ｂに示す保香性 ,密封性などが優れた液体紙容器用の口栓については、同様に顧客が液体紙容器５０に収容した乳飲料やジュースや日本酒などを購入して、初めてネジ式のキャップ２０を左回転して開栓 ,開封する時に、下降した降下円筒体４０の鋸刃ｈ ,ｈ ,ｈ ,…で破断可能なフィルム６０を破断して開封する、僅かな抵抗( 開封感
)はあるものの、初回の明確な開栓感がないことが問題であって、顧客が初めて開栓 ,開封する前に、熱融着して密封した破断可能なフィルム６０が破断されていても気付かないことがあるために、同様に購入した乳飲料やジュースや日本酒などを収容した液体紙容器５０が、悪戯や不正などで購入以前に開栓 ,開封される恐れがあった。
【０００８】
この問題を解決しようとした従来の、図２Ｃに示す初回の明確な開栓感を付与したＴＥ機能付の液体紙容器用口栓については、それぞれネジ式のキャップ２０を左回転して易切断ブリッジｍ ,ｍ ,ｍ ,…を切断して開栓する、初回の明確な開栓感はあるものの、口栓本体３０にＴＥ機能バンド２２を残留させていることが問題であって、悪戯や不正などで購入以前に開栓 ,開封して、ネジ式のキャップ２０を右回転して元通りに閉栓した時に、多数の易切断ブリッジｍ ,ｍ ,ｍ ,…は切断しているものの、外観形状が酷似しているために、購入した顧客が元通りに閉栓したことに気付かない恐れがあった。
【０００９】
しかも、この従来の図２Ｃに示すＴＥ機能付の液体紙容器用口栓については、ネジ式のキャップ２０を、やゝ強く摘んで左回転して易切断ブリッジｍ ,ｍ ,ｍ ,…を切断して開栓するために、キャップ２０の外側全面に滑り止め用の微細な歯車模様ｂを設ける必要があるものの、ネジ式のキャップ２０の下端に、環状２つ折りのＴＥ機能バンド２２を連設しているために、滑り止め用の微細な歯車模様ｂを設けるキャップ２０の、外側全面の上下寸法に制約( 面積が狭くなる )があって、ネジ式のキャップ２０をやゝ強く摘んで左回転しても、指が滑って易切断ブリッジｍ ,ｍ ,ｍ ,…を切断し難いことがあった。
【００１０】
そこで、本発明の目的は、乳飲料やジュースや日本酒などを収容する、通常の上面が平坦な又は切妻屋根形の、各種バリアー性が優れた紙積層材料製などの液体紙容器５０の上部開口５１に装着して、この上部開口５１の周辺と口栓本体３０の融着リングｄとを強固に熱融着して密封する、また上部開口５１の周辺の内面側に破断可能なフィルム６０を強固に熱融着して密封する、初回の明確な開栓感がある上に、元通りに閉栓した時に外観形状が異なるために、悪戯や不正などで購入以前に開栓 ,開封される恐れがないＴＥ機能付の液体紙容器用口栓を提供することにある。
【課題を解決するための手段】
【００１１】
本発明の請求項１に記載のＴＥ機能付の液体紙容器用口栓は、
例えば、天板の内面に液止めリングａを設けたネジ式のキャップ２０と、内面にプルリングｃ付の開封部３１と下部に融着リングｄとを設けて、この融着リングｄの上面側の下部外面に、複数の繋止突起ｅ ,ｅ ,ｅ ,…を有する嵌合部３２を設けたネジ式の口栓本体３０と、から成る、図２Ａに示す液体紙容器用の口栓において、
また例えば、外面側に相対する傾斜凸状カムｆ ,ｆを設けた押下げ円筒体２１を、天板の内面に連設したネジ式のキャップ２０と、内面側に相対する傾斜凸状カムｇ ,ｇと下端に多数の鋸刃ｈ ,ｈ ,ｈ ,…とを設けた、口栓本体３０の内面側に嵌合して下降する降下円筒体４０と、下部に融着リングｄを設けたネジ式の口栓本体３０と、から成る、図２Ｂに示す液体紙容器用の口栓において、
図１に示すように、ネジ式の口栓本体３０の融着リングｄの( 図１Ａ ,Ｂでは上面側の嵌合部３２の )上面に、上端に開栓つまみ片ｏと開栓つまみ片ｏと下端とを結ぶ易切断半切れ線ｐとを設けた、ネジ式の口栓本体３０に螺着するネジ式のキャップ２０の、外側面の大部分を接近して覆った薄肉円筒状のＴＥ機能カバー３３を、易切断半切れ線ｐに連続する全周の易切断半切れ線ｑを介して連設したことを特徴とするＴＥ機能付の液体紙容器用口栓である。
【００１２】
本発明のＴＥ機能付の液体紙容器用口栓においては、前述した従来の、図２Ａに示す密封性などが優れた液体紙容器用の口栓において、図１に示すように、ネジ式の口栓本体３０の融着リングｄの( 上面側の嵌合部３２の )上面に、上端に開栓つまみ片ｏと開栓つまみ片ｏと下端とを結ぶ易切断半切れ線ｐとを設けた、ネジ式の口栓本体３０に螺着するネジ式のキャップ２０の、外側面の大部分を接近して覆った薄肉円筒状のＴＥ機能カバー３３を、易切断半切れ線ｐに連続する全周の易切断半切れ線ｑを介して連設したことによって、
乳飲料やジュースや日本酒などを収容する、図３Ａ ,Ｂに示す通常の上面が平坦な又は切妻屋根形の、各種バリアー性が優れた紙積層材料製などの液体紙容器５０の上部開口５１に、図１Ａ ,図２Ａに示すように、ネジ式の口栓本体３０の融着リングｄの上面側の複数の繋止突起ｅ ,ｅ ,ｅ ,…を有する嵌合部３２に、上部開口５１の周辺を嵌合させて装着して、この上部開口５１の周辺の内面側と口栓本体３０の融着リングｄの上面側とを、強固に熱融着して密封した後に、
ＴＥ機能カバー３３の上端の開栓つまみ片ｏをやゝ強く引張ることによって、開栓つまみ片ｏと下端とを結ぶ易切断半切れ線ｐと易切断半切れ線ｐに連続する全周の易切断半切れ線ｑとを切断して、ネジ式の口栓本体３０に螺着するネジ式のキャップ２０の、外側面の大部分を接近して覆った薄肉円筒状のＴＥ機能カバー３３を除去するとともに、このネジ式のキャップ２０を左回転して開栓して、プルリングｃを引張るだけで、簡単に口栓本体３０の開封部３１を除去して開封することができる、初回の明確な開栓感 ,開封感がある上に、薄肉円筒状のＴＥ機能カバー３３を除去することによって、ネジ式のキャップ２０を右回転して元通りに閉栓した時に、初回の開栓時とは外観形状が大きく異なるために、悪戯や不正などで購入以前に開栓 ,開封される恐れがないＴＥ機能付の液体紙容器用口栓を得ることができる。
【００１３】
また、本発明のＴＥ機能付の液体紙容器用口栓においては、前述した従来の、図２Ｂに示す保香性 ,密封性などが優れた液体紙容器用の口栓において、図１に示すように、ネジ式の口栓本体３０の融着リングｄの上面に、上端に開栓つまみ片ｏと開栓つまみ片ｏと下端とを結ぶ易切断半切れ線ｐとを設けた、ネジ式の口栓本体３０に螺着するネジ式のキャップ２０の、外側面の大部分を接近して覆った薄肉円筒状のＴＥ機能カバー３３を、易切断半切れ線ｐに連続する全周の易切断半切れ線ｑを介して連設したことによって、
同様に乳飲料やジュースや日本酒などを収容する、図３Ａ ,Ｂに示す通常の上面が平坦な又は切妻屋根形の、各種バリアー性が優れた紙積層材料製などの液体紙容器５０の上部開口５１に、図２Ｂに示すように、ネジ式の口栓本体３０の融着リングｄの内面側に、上部開口５１の周辺の上面側を、熱融着性が優れた融着ドーナツ板６１を介して熱融着して装着して、同時に上部開口５１の周辺の内面側に、各種バリアー性が優れたアルミ箔積層材料製などの破断可能なフィルム６０を、強固に熱融着して密封した後に、
ＴＥ機能カバー３３の上端の開栓つまみ片ｏをやゝ強く引張ることによって、開栓つまみ片ｏと下端とを結ぶ易切断半切れ線ｐと易切断半切れ線ｐに連続する全周の易切断半切れ線ｑとを切断して、ネジ式の口栓本体３０に螺着するネジ式のキャップ２０の、外側面の大部分を接近して覆った薄肉円筒状のＴＥ機能カバー３３を除去するとともに、このネジ式のキャップ２０を左回転して開栓するだけで、同時に口栓本体３０の内面側に嵌合した図２Ｂに示す降下円筒体４０が下降して、下端の鋸刃ｈ ,ｈ ,ｈ ,…で図２Ｂに示す破断可能なフィルム６０を破断して開封することができる、初回の明確な開栓感がある上に、同様に薄肉円筒状のＴＥ機能カバー３３を除去することによって、ネジ式のキャップ２０を右回転して元通りに閉栓した時に、初回の開栓時とは外観形状が大きく異なるために、悪戯や不正などで購入以前に開栓 ,開封される恐れがないＴＥ機能付の液体紙容器用口栓を得ることができる。
【００１４】
本発明の請求項２に記載のＴＥ機能付の液体紙容器用口栓は、前述した請求項１に記載のＴＥ機能付の液体紙容器用口栓において、図１Ｂ ,Ｃに示すように、ネジ式の口栓本体３０に螺着するネジ式のキャップ２０の、外側面の大部分を接近して覆った薄肉円筒状のＴＥ機能カバー３３に、上端の開栓つまみ片ｏと下端とを結ぶ、左回転方向に斜めの易切断半切れ線ｐを設けたことを特徴とするＴＥ機能付の液体紙容器用口栓である。
【００１５】
本発明のＴＥ機能付の液体紙容器用口栓においては、ＴＥ機能カバー３３の上端の開栓つまみ片ｏをやゝ強く引張ることによって、開栓つまみ片ｏと下端とを結ぶ易切断半切れ線ｐと易切断半切れ線ｐに連続する全周の易切断半切れ線ｑとを切断して、ネジ式のキャップ２０を左回転して開栓する、前述した請求項１に記載のＴＥ機能付の液体紙容器用口栓において、ネジ式の口栓本体３０に螺着するネジ式のキャップ２０の、外側面の大部分を接近して覆った薄肉円筒状のＴＥ機能カバー３３に、上端の開栓つまみ片ｏと下端とを結ぶ、左回転方向に斜めの易切断半切れ線ｐを設けたことによって、
ＴＥ機能カバー３３の上端の開栓つまみ片ｏを、左に１回転するようにやゝ強く引張ることによって、容易に左回転方向に斜めの易切断半切れ線ｐと全周の易切断半切れ線ｑとを切断して、ネジ式の口栓本体３０に螺着するネジ式のキャップ２０の、外側面の大部分を接近して覆った薄肉円筒状のＴＥ機能カバー３３を除去するとともに、引続き左回転して、このネジ式のキャップ２０を容易に開栓することができる。
【発明の効果】
【００１６】
以上、本発明のＴＥ機能付の液体紙容器用口栓においては、乳飲料やジュースや日本酒などを収容する、通常の上面が平坦な又は切妻屋根形の、各種バリアー性が優れた紙積層材料製などの液体紙容器５０の上部開口５１に装着して、この上部開口５１の周辺と口栓本体３０の融着リングｄとを強固に熱融着して密封する、また上部開口５１の周辺の内面側に破断可能なフィルム６０を強固に熱融着して密封する、顧客が液体紙容器５０に収容した乳飲料やジュースや日本酒などを購入して、初めてネジ式のキャップ２０を左回転し
て開栓 ,開封する時に、明確な開栓感がある上に、薄肉円筒状のＴＥ機能カバー３３を除去することによって、ネジ式のキャップ２０を右回転して元通りに閉栓した時に、初回の開栓時とは外観形状が大きく異なるために、悪戯や不正などで購入以前に開栓 ,開封される恐れがないＴＥ機能付の液体紙容器用口栓を提供することができる。
【発明を実施するための最良の形態】
【００１７】
本発明のＴＥ機能付の液体紙容器用口栓における、ネジ式の口栓本体３０に螺着するネジ式のキャップ２０の、外側面の大部分を接近して覆った薄肉円筒状のＴＥ機能カバー３３については、後述する実施例１に示すような、ネジ式のキャップ２０の外側面の面積の８０〜９０％( 実施例１では滑り止め用の微細な歯車模様ｂの８５％程度 )を、予めネジ式のキャップ２０を機械的にネジ込んで閉栓することができる限界( 実施例１では殆ど密着する０.５ｍｍに )まで接近して覆った、ＴＥ機能カバー３３の上端の開栓つまみ片ｏをやゝ強く引張ることによって、開栓つまみ片ｏと下端とを結ぶ易切断半切れ線ｐと易切断半切れ線ｐに連続する全周の易切断半切れ線ｑとを切断し易いような、肉厚０.８ｍｍ程度の薄肉円筒状のＴＥ機能カバー３３を、ネジ式の口栓本体３０の融着リングｄの( 上面側の嵌合部３２の )上面に、易切断半切れ線ｐに連続する全周の易切断半切れ線ｑを介して連設することが好ましい。
【００１８】
すなわち、ネジ式のキャップ２０の外側面の面積の９０％以上を、薄肉円筒状のＴＥ機能カバー３３が接近して覆っている場合には、通常の上面が平坦な又は切妻屋根形の液体紙容器５０の上部開口５１に、予めネジ式のキャップ２０を機械的にネジ込んで閉栓して装着する時に、この薄肉円筒状のＴＥ機能カバー３３を傷つける恐れがあって、反対にネジ式のキャップ２０の外側面の面積の８０％以下を、薄肉円筒状のＴＥ機能カバー３３が接近して覆っている場合には、悪戯や不正などで購入以前に、この薄肉円筒状のＴＥ機能カバー３３を傷つけないように、手でネジ式のキャップ２０を左回転して開栓される恐れがあった。
【実施例１】
【００１９】
図１Ａ ,Ｂは、本発明の実施例１における、ＴＥ機能付の液体紙容器用口栓の断面説明図 ,斜視図であって、図１Ｃは、ＴＥ機能付の液体紙容器用口栓の、口栓本体３０の破断上面図である。
【００２０】
すなわち、天板の内面に通常の液止めリングａを設けた、外径２４ｍｍで高さ１６ｍｍの外側全面に滑り止め用の微細な歯車模様ｂを有するネジ式のキャップ２０と、内面に通常のプルリングｃ付の開封部３１と下部に外径３６ｍｍの融着リングｄとを設けて、この融着リングｄの上面側の下部外面に、４個の繋止突起ｅ ,ｅ ,ｅ ,ｅを有する外壁径２５ｍｍの嵌合部３２を設けた、内径１８ｍｍで高さ２０ｍｍのネジ式の口栓本体３０と、から成る、従来の図２Ａに示す液体紙容器用の口栓において、
ネジ式の口栓本体３０の融着リングｄの上面側の嵌合部３２の上面に、ＴＥ機能カバー３３の上端に引張る方向を示す矢印を刻印した開栓つまみ片ｏを設けて、この上端の開栓つまみ片ｏの左側と下端とを結ぶ、左回転方向に斜め４０度の易切断半切れ線ｐを設けた、ネジ式の口栓本体３０に螺着するネジ式のキャップ２０の、外側面の滑り止め用の微細な歯車模様ｂの８５％程度を、殆ど密着する０.５ｍｍにまで接近して覆った、内径２５ｍｍで高さ１２ｍｍで肉厚０.８ｍｍの薄肉円筒状のＴＥ機能カバー３３を、斜め４０度の易切断半切れ線ｐに連続する全周の易切断半切れ線ｑを介して連設した、図１に示す実施例１のＴＥ機能付の液体紙容器用口栓を、従来と同様のポリエチレン樹脂を用いた射出成形方法で作製した。
【００２１】
次に、芳醇な香りを有する２０００ｍｌの日本酒を収容する、図３Ｂに示す収容部の縦と横と高さとが８５×８５×２７５ｍｍの通常の上面が切妻屋根形の、各種バリアー性が
優れた紙積層材料製の液体紙容器５０( のブランク )の上部開口５１に、図１に示す実施例１のＴＥ機能付の液体紙容器用口栓の、予めネジ式のキャップ２０を機械的にネジ込んで閉栓した、ネジ式の口栓本体３０の融着リングｄの上面側の４個の繋止突起ｅ ,ｅ ,ｅ
,ｅを有する嵌合部３２に、上部開口５１の周辺を嵌合させて装着して、この上部開口５１の周辺の内面側と口栓本体３０の融着リングｄの上面側とを、強固に熱融着して密封した後に、上面が切妻屋根形の液体紙容器専用の製箱充填工程で、日本酒を収容しながら製箱したところ、従来と同様にネジ式のキャップ２０を左回転して開栓して、プルリングｃを引張るだけで、簡単に口栓本体３０の開封部３１を除去して開封することができる、密封性などが優れたＴＥ機能付の液体紙容器用口栓( 及び液体紙容器５０ )を得ることができた。
【００２２】
本実施例１のＴＥ機能付の液体紙容器用口栓においては、前述した従来の、図２Ａに示す密封性などが優れた液体紙容器用の口栓において、ネジ式の口栓本体３０の融着リングｄの上面側の嵌合部３２の上面に、ＴＥ機能カバー３３の上端に開栓つまみ片ｏを設けて、この上端の開栓つまみ片ｏと下端とを結ぶ、左回転方向に斜めの易切断半切れ線ｐを設けた、ネジ式の口栓本体３０に螺着するネジ式のキャップ２０の、外側面の大部分( 滑り止め用の微細な歯車模様ｂの８５％程度 )を、殆ど密着するまで接近して覆った薄肉円筒状のＴＥ機能カバー３３を、斜めの易切断半切れ線ｐに連続する全周の易切断半切れ線ｑを介して連設したことによって、
ＴＥ機能カバー３３の上端の開栓つまみ片ｏを、左に１回転するようにやゝ強く引張ることによって、容易に左回転方向に斜めの易切断半切れ線ｐと全周の易切断半切れ線ｑとを切断して、ネジ式の口栓本体３０に螺着するネジ式のキャップ２０の、外側面の大部分を接近して覆った薄肉円筒状のＴＥ機能カバー３３を除去するとともに、このネジ式のキャップ２０を左回転して開栓して、プルリングｃを引張るだけで、簡単に口栓本体３０の開封部３１を除去して開封することができる、初回の明確な開栓感 ,開封感がある上に、薄肉円筒状のＴＥ機能カバー３３を除去することによって、ネジ式のキャップ２０を右回転して元通りに閉栓した時に、初回の開栓時とは外観形状が大きく異なるために、悪戯や不正などで購入以前に開栓 ,開封される恐れがないＴＥ機能付の液体紙容器用口栓を得ることができた。
【産業上の利用可能性】
【００２３】
特になし。
【図面の簡単な説明】
【００２４】
【図１】本発明の実施例１における、図１Ａ ,Ｂは、ＴＥ機能付の液体紙容器用口栓の断面説明図 ,斜視図であって、図１Ｃは、ＴＥ機能付の液体紙容器用口栓の、口栓本体３０の破断上面図である。
【図２】図２Ａ ,Ｂは、従来の液体紙容器用の口栓の断面説明図であって、図２Ｃは、従来のＴＥ機能付の液体紙容器用口栓の断面説明図である。
【図３】図３Ａ ,Ｂは、従来の液体紙容器用の口栓などを装着する、上面が平坦な又は切妻屋根形の液体紙容器５０の斜視図である。
【符号の説明】
【００２５】
２０    …キャップ
２１    …押下げ円筒体
２２    …ＴＥ機能バンド
３０    …口栓本体
３１    …開封部
３２    …嵌合部
３３    …ＴＥ機能カバー
４０    …降下円筒体
５０    …液体紙容器
５１    …上部開口
６０    …破断可能なフィルム
６１    …融着ドーナツ板
７０    …ボトル容器
ａ      …液止めリング
ｂ      …微細な歯車模様
ｃ      …プルリング
ｄ      …融着リング
ｅ      …繋止突起
ｆ ,ｇ  …傾斜凸状カム
ｈ      …鋸刃
ｍ      …易切断ブリッジ
ｎ      …環状突起
ｏ      …開栓つまみ片
ｐ      …易切断半切れ線
ｑ      …全周の易切断半切れ線
【図１】
2006069556.tif 000003
【図２】
2006069556.tif 000004
【図３】
2006069556.tif 000005